(57)【特許請求の範囲】
【請求項１】
眼鏡本体の左右にツル取付部材を介して左右一対のツルを取り付けてなり、ツル取付部材が、眼鏡本体に固着される固着部とツルが装着される揺動部からなる二股形状であり、揺動部の外端部にツルが装着され、ツルを開いても、固着部に対して揺動部が開くことにより、眼鏡本体本来のカーブが維持されるようにしていることを特徴とする眼鏡。
【請求項２】
ツル取付部材が、眼鏡本体の左右側部の前面上部に設けられている請求項１記載の眼鏡。
【請求項３】
眼鏡本体を一眼式レンズとした請求項１又は２記載の眼鏡。
【請求項４】
ツル取付部材の揺動部に眼鏡本体に係止する係止具を設け、揺動部が一定以上に開くことを防止するようにした請求項１、２又は３記載の眼鏡。
【発明の詳細な説明】
【０００１】
【発明の属する技術分野】
この発明は、サングラス、保護眼鏡等として使用できる眼鏡に関するものである。
【０００２】
【従来の技術】
従来、図１０に示したような、眼鏡本体３０（一眼式レンズ）の左右側部上端に固着されたフレーム３１を介して左右一対のツル３２、３２を取り付けた眼鏡が一般に使用されている。この種の眼鏡は、自転車競技等の各種のスポーツ用として使用する場合、風の巻き込みやサイドからの光が入らないようにするため、レンズのカーブをきつくすることが望ましい。
【０００３】
しかし、この従来の眼鏡では、図１１に示すように、前記フレーム３１に係合軸孔３３を設け、これに二股状としたツル３２の前端部に設けた突起３４、３４を係合させていたため、ツル３２はフレーム３１の外端３５に当接してそれ以上外方に回動しないようになっていた。このため、さらにツル３２を開こうとすると、眼鏡本体３０が変形し、その本来のカーブが損なわれる。また、眼鏡本体３０のカーブをきつくすると、これに応じてツル３２の開く角度も小さくなるため、ツル３２が頭部を圧迫し、かけ心地が悪くなるという問題を有していた。
【０００４】
従って、従来の眼鏡は、眼鏡本体３０の球面は６カーブ程度が標準で、それ以上きつくしたものを商品化することは困難であった。なお、６カーブの球面とは、球面（前面）の曲率半径Ｒ１（mm）が、
Ｒ１＝（Ｎ−１）×１００／Ｄ 〔Ｄ＝６〕
により設定された球面である。ここで、Ｎは材質の屈折率である。
【０００５】
【発明が解決しようとする課題】
そこで、この発明は、ツルを一定以上に開いても眼鏡本体のカーブを維持することができ、また、眼鏡本体のカーブをきつくしても、ツルが頭部を強く圧迫することなく、かけ心地が悪くならない眼鏡を提供することを課題とする。
【０００６】
【課題を解決するための手段】
前記課題を解決するため、この発明は次のような技術的手段を講じている。
【０００７】
この発明の眼鏡は、眼鏡本体１の左右にツル取付部材２を介して左右一対のツル３、３を取り付けてなり、ツル取付部材２が、眼鏡本体１に固着される固着部２ａとツル３が装着される揺動部２ｂからなる二股形状であり、揺動部２ｂの外端部にツル３が装着され、ツル３を開いても、固着部２ａに対して揺動部２ｂが開くことにより、眼鏡本体１本来のカーブが維持されるようにしたものとしている。
【０００８】
ツル取付部材２は、眼鏡本体１の左右側部の前面上部に設けることができる。眼鏡本体１は、一眼式レンズとすることができる。
【０００９】
ツル取付部材２の揺動部２ｂに眼鏡本体１に係止する係止具１５を設け、揺動部２ｂが一定以上に開くことを防止するようにすることもできる。
【００１０】
【発明の実施の形態】
以下、この発明の実施の形態を図面を参照して説明する。
【００１１】
この発明の眼鏡は、眼鏡本体１の左右にツル取付部材２を介して左右一対のツル３、３を取り付けてなり、ツル取付部材２が、眼鏡本体１に固着される固着部２ａとツル３が装着される揺動部２ｂからなる二股形状としたものである。
【００１２】
図１は、この発明の一実施形態の眼鏡の正面側から見た図、図２は平面図、図３は底面図である。この実施形態は、スポーツ用眼鏡として構成したものである。
【００１３】
眼鏡本体１は、例えば６．７５カーブの球面を備えた可撓性及び弾性を有する一眼式レンズとすることができる。この眼鏡本体１（一眼式レンズ）は、ポリカーボネート、ＡＢＳ樹脂等の耐衝撃性プラスチックにより構成することが望ましい。
【００１４】
眼鏡本体１の左右両側の上端部は、図４に示したように、それぞれ第１切欠部４と第２切欠部５を内側から外側に連続して形成し、二段階に下がった形状としている。第１切欠部４付近にはネジ孔６が２つずつ設けられ、ツル取付部材２が内側からネジ７で固着されるようにしている。そして、その外端部には左右方向に切れ込み８が設けられている。また、眼鏡本体１の中央下部は略Ｖ字状に切欠して鼻当て部材装着部９を形成し、鼻当て部材１０を装着している。
【００１５】
ツル取付部材２は、比較的短い固着部２ａと長い揺動部２ｂが略Ｖ字状に構成されたもので、眼鏡本体１の左右側部の前面上部に位置し、その揺動部２ｂが眼鏡本体１の前方で水平方向に揺動自在となっている。ツル取付部材２は、前記第１切欠部４のスペースに設けられることにより、眼鏡本体１の中央の上端部周縁より上方に突出しないようになっている。
【００１６】
ツル取付部材２は、例えばナイロン樹脂等の可撓性を有する素材で、固着部２ａと揺動部２ｂを一体に構成したものとすることができるが、固着部２ａと揺動部２ｂを金属等の可撓性を有しない素材で別体として構成し、この固着部２ａと揺動部２ｂを可撓性を有する部材で連結したものとすることもできる。
【００１７】
ツル取付部材２の固着部２ａには、図５に示したように、その下面に眼鏡本体１に嵌合するようにした嵌合溝１１を凹設し、さらに、図６に示したように、外側面にこの嵌合溝１１に通じるネジ孔１２を２つずつ設けている。ツル取付部材２は、眼鏡本体１の前記ネジ孔６を設けた付近に嵌合溝１１を嵌合させ、ネジ孔１２と前記眼鏡本体１のネジ孔６にネジ７を螺合させることにより固着される。
【００１８】
揺動部２ｂは、眼鏡本体１とツル３が自然な曲線形状として連続するように円弧形としたもので、外力が加えられていない状態では、つけ根付近がやや前方に膨らみ、外端部が眼鏡本体１の前記第２切欠部５に入り込むように湾曲している。また、揺動部２ｂは、内側面１３のカーブを外側面１４のカーブよりきつくして、つけ根から外端部に向かって太くなるようにしている。
【００１９】
さらに、揺動部２ｂの内側面１３には、前記眼鏡本体１の切れ込み８に入るように突出した係止具１５を設けている。係止具１５は先端部１５ａを切れ込み８の幅より大きく形成しており、図７に示したように、この先端部１５ａが眼鏡本体１に係止されて揺動部２ｂが一定以上に開くことを防止するようにしている。この係止具１５により、必要以上に揺動部２ｂを開いて眼鏡本体１が変形しないようになっている。
【００２０】
揺動部２ｂの外端部にはツル３を回動自在に取り付けられるようにしたツル取付部１６を設けている。ツル取付部１６は、眼鏡本体１の前記第２切欠部５付近に位置するようにしている。
【００２１】
ツル３は、ツル取付部材２と同じ材質で可撓性及び弾性を有し、図８に示したように、頭部にフィットするように全体的に円弧形状となっていることが望ましい。ツル３の前端部は外側に切欠部１７を設け、上面１８と下面１９の二股に分かれた形状にし、上面１８と下面１９の間に断面円形の軸２０を設けている。また、前端部の上面１８及び下面１９は、外側が前方にずれた二つの半円形状を接合した形状として、突出部２１を設けている。
【００２２】
さらに、ツル３には、長さ方向の略中央部から後方に、左右方向に貫通した滑り止め装着長孔が設けられ、表面に突起を設けたゴム等の弾性材料の滑り止め具２２が嵌着されている。
【００２３】
揺動部２ｂのツル取付部１６には、前記図５に示したようにツル３の軸２０を回動可能に嵌合させられるようにした回動溝２３が上下方向に貫通するように形成されていると共に、その上面及び下面において、回動溝２３の周囲を段落ちにし、周囲の壁の内側面１３付近の部分を内方に突出させることにより、前記ツル３の前端部の突出部２１を係止する回り止め２４を設けている。
【００２４】
ツル３は軸２０を回動溝２３に嵌合させて取り付けているので、磨耗やひねりに対して強く、はずれ難い。また、ツル３の前端部の切欠面２５は、前記突出部２１が回り止め２４に係止されると同時に揺動部２ｂの外側端面２６に当接するようになっているので、この揺動部２ｂにツル３をがたつくことなく取り付けることができる。
【００２５】
鼻当て部材１０は、正面から見て略Ｖ字状の保持部１０ａと、鼻に沿うような形状とした鼻当て部１０ｂとを、一体に形成したものとしている。保持部１０ａの上側周面には、側面図である図９に示したように挟着溝２７が凹設され、この挟着溝２７で鼻当て部材１０を前記眼鏡本体１の鼻当て部材装着部９に挟着させるようになっている。鼻当て部１０ｂには、中央上部に左右方向に長い孔２８と、左右に前後方向に長い複数の細孔２９が設けられている。
【００２６】
鼻当て部材１０は、前記挟着溝２７と鼻当て部材装着部９との挟着を確実にするため、ゴム等の柔軟な素材よりもプラスチック等の比較的硬質な素材で構成することが望ましいが、そのような場合でも、上記構成により鼻当て部１０ｂは柔軟性を有し、鼻に柔らかく接してよくフィットする。
【００２７】
さらに、前記挟着溝２７と鼻当て部材装着部９を接着剤で固着してもよいが、鼻当て部材１０を弾発性を有する素材で構成すると共に保持部１０ａを鼻当て部材装着部９よりも大きな角度に開いた略Ｖ字状とし、保持部１０ａが鼻当て部材装着部９に圧接するようにしてもよい。
【００２８】
この眼鏡は、左右一対のツル３、３がツル取付部材２を介して眼鏡本体１に取り付けられており、ツル３の角度が広がっても、眼鏡本体１が変形することはほとんどなく、眼鏡本体１本来のカーブを維持することができる。
【００２９】
すなわち、ツル３を外側に開こうとすると、前記突出部２１が回り止め２４に係止されると共に切欠面２５が揺動部２ｂの外側端面２６に当接することによりツル３の回動が抑止されるが、ツル３を外側に開こうとする力はツル取付部材２の揺動部２ｂが開くように作用し、眼鏡本体１には直接的に作用しない。また、ツル３の回動の中心は、ツル３の前端部の軸２０より前方の揺動部２ｂのつけ根になるため、左右のツル３、３の角度が必要以上に大きくなってその後端部が頭部から完全に離れてしまうことがなく、頭部に対し柔らかく接し、よくフィットする。
【００３０】
従って、眼鏡本体１のカーブが６カーブ以上であっても、眼鏡本体１を変形させることなく、そのカーブを維持しながら、ツル３を大きく開くことができる。しかも、頭部を圧迫することなくツル３をフィットさせることができるので、着用者の頭部が大きい場合でもかけ心地が極めてよい。
【００３１】
なお、この発明は、上記実施形態に限定されるものではなく、適宜設計変更することができる。例えば、二眼式レンズの眼鏡としたり、サングラス以外の各種保護眼鏡とすることができる。
【００３２】
【発明の効果】
この発明の眼鏡は、上述のように構成されており、眼鏡本体１とツル３との間にツル取付部材２が介在するため、ツル３を開いても、眼鏡本体１に直接的に曲げの力が加わらず、眼鏡本体１本来のカーブを維持することが可能であり、しかも、眼鏡本体１のカーブがきつくても、ツル３は頭部に対し柔らかく接するため、かけ心地が良い。
【図面の簡単な説明】
【図１】この発明に係る眼鏡の実施形態の正面斜視図。
【図２】この発明に係る眼鏡の実施形態の平面図。
【図３】この発明に係る眼鏡の実施形態の底面図。
【図４】この発明に係る眼鏡の実施形態の眼鏡本体の正面斜視図。
【図５】この発明に係る眼鏡の実施形態の右側のツル取付部材の底面図。
【図６】この発明に係る眼鏡の実施形態の右側のツル取付部材の斜視図。
【図７】この発明に係る眼鏡の実施形態の一部拡大斜視図。
【図８】この発明に係る眼鏡の実施形態の右側のツルの斜視図。
【図９】この発明に係る眼鏡の実施形態の鼻当て部材の側面図。
【図１０】従来の眼鏡の平面図。
【図１１】従来の眼鏡の一部拡大斜視図。
【符号の説明】
１ 眼鏡本体
２ ツル取付部材
２ａ 固着部
２ｂ 揺動部
３ ツル
１５ 係止具

【図１】
0004006717.tif 000002
【図２】
0004006717.tif 000003
【図３】
0004006717.tif 000004
【図４】
0004006717.tif 000005
【図５】
0004006717.tif 000006
【図６】
0004006717.tif 000007
【図７】
0004006717.tif 000008
【図８】
0004006717.tif 000009
【図９】
0004006717.tif 000010
【図１０】
0004006717.tif 000011
【図１１】
0004006717.tif 000012